(57)【要約】  本発明は、それを貫通するケーブルパス（８）の輪郭を形成するケージ（２）と、ケーブルパス（８）内へ突出すると共にケーブルパス（８）に沿って設置されたケーブル（１４）の上にクランプ力を加えるように構成されたバネ要素（３）と、を備え、バネ要素（３）及びケージ（２）は金属から成ることを特徴とする保持及び接触装置（１）に関する。ケーブル（１４）は、編組ケーブルまたはソリッドワイヤのいずれでもよい。ケーブル（１４）は、リリースレバー（１３）を用いて、すなわちリリースレバー（１３）を上方へ引くことによって取り外され得る。【選択図】図３
2019505963.tif 000002
【特許請求の範囲】
【請求項１】
保持及び接触装置（１）であって、
それを貫通するケーブルパス（８）の輪郭を形成するケージ（２）と、
前記ケーブルパス（８）内へ突出すると共に、前記ケーブルパス（８）に沿って設置されたケーブル（１４）の上にクランプ力を作用させるように構成されたバネ要素（３）と、
を備え、
前記バネ要素（３）及び前記ケージ（２）は金属から成る、ことを特徴とする装置。
【請求項２】
前記バネ要素（３）及び前記ケージ（２）は同一の金属から成ることを特徴とする、請求項１に記載の保持及び接触装置（１）。
【請求項３】
前記バネ要素（３）及び前記ケージ（２）は単一の金属シートから一体に作製されていることを特徴とする、請求項１または２に記載の保持及び接触装置（１）。
【請求項４】
前記バネ要素（３）及び前記ケージ（２）は互いに積極的に固定されていることを特徴とする、請求項１〜３のいずれか１項に記載の保持及び接触装置（１）。
【請求項５】
前記バネ要素（３）は、前記ケーブルパス（８）に沿って設置されたケーブル（１４）に加えられるクランプ力の大きさが前記ケーブル（１４）の直径に依存するように構成されており、
前記バネ要素（３）は、第一の直径を有するケーブル（１４）に対して、前記第一の直径よりも小さな第二の直径を有するケーブルと比較して強いクランプ力を及ぼすように構成されていることを特徴とする、請求項１〜４のいずれか１項に記載の保持及び接触装置（１）。
【請求項６】
前記バネ要素（３）は、前記ケーブルパス（８）に対して垂直な方向に前記クランプ力を加えるように構成されていることを特徴とする、請求項１〜５のいずれか１項に記載の保持及び接触装置（１）。
【請求項７】
前記バネ要素（３）及び前記ケージ（２）は、ステンレス鋼から成ることを特徴とする、請求項１〜６のいずれか１項に記載の保持及び接触装置（１）。
【請求項８】
前記バネ要素（３）は、前記ケーブルパス（８）の方を向いたシャープエッジ（１２）を備えていることを特徴とする、請求項１〜７のいずれか１項に記載の保持及び接触装置（１）。
【請求項９】
前記バネ要素（３）は、前記ケーブルパス（８）に沿って設置されたケーブル（１４）と当接するように構成されていると共に、前記ケーブル（１４）にクランプ力を加えるように構成された当接部（１１）を備えることを特徴とする、請求項１〜８のいずれか１項に記載の保持及び接触装置（１）。
【請求項１０】
前記シャープエッジ（１２）は、前記当接部（１１）に配置されていることを特徴とする、請求項８及び９に記載の保持及び接触装置（１）。
【請求項１１】
前記装置（１）は、ケーブル（１４）と部品（１５）との電気的及び機械的な接触を確立するように構成されていることを特徴とする、請求項１〜１０のいずれか１項に記載の保持及び接触装置（１）。
【請求項１２】
前記ケージ（２）及び前記バネ要素（３）の材料は、確立された前記電気的な接触が５０Ａより大きな高いレベルの電流に耐え得るように構成されていることを特徴とする、請求項１１に記載の保持及び接触装置（１）。
【請求項１３】
前記バネ要素（３）はリリースレバー（１３）をさらに備え、前記リリースレバー（１３）は、当該リリースレバー（１３）を引くことによって、前記ケーブルパス（８）に沿って配置されたケーブル（１４）にクランプ力が加わらないような態様に前記バネ要素（３）が変形するよう構成されていることを特徴とする、請求項１〜１２のいずれか１項に記載の保持及び接触装置（１）。
【請求項１４】
前記バネ要素（３）の第一の端部（９）は前記ケージ（２）に固定されており、前記バネ要素（３）の第二の端部（１０）は前記ケージ（２）の外へ突出して前記リリースレバー（１３）を形成していることを特徴とする、請求項１３に記載の保持及び接触装置（１）。
【請求項１５】
前記リリースレバー（１３）は、前記バネ要素（３）によって加えられる前記クランプ力を解除するための工具と係合するように構成された少なくとも１つの開口（１７，１８）を備えていることを特徴とする、請求項１３または１４に記載の保持及び接触装置（１）。
【請求項１６】
前記ケージ（２）を取り囲む絶縁ブロック（１９）をさらに備え、前記絶縁ブロック（１９）は、前記リリースレバー（１３）が工具と係合することを可能とする孔（２０）を備えることを特徴とする、請求項１５に記載の保持及び接触装置（１）。
【請求項１７】
請求項１〜１６のいずれか１項に記載の保持及び接触装置（１）と、パワー電子部品（１５）と、を備える組立体であって、前記保持及び接触装置（１）は、当該保持及び接触装置（１）と前記パワー電子部品（１５）との自立した機械的接触を確立するように構成されていることを特徴とする組立体。
【請求項１８】
前記バネ要素（３）は、前記ケーブルパス（８）内に前記パワー電子部品（１５）のみが存在しケーブル（１４）が存在しない場合に、前記バネ要素（３）が前記パワー電子部品（１５）に当接し、前記バネ要素（３）が前記パワー電子部品（１５）の上にクランプ力を加えるように寸法が設定されていることを特徴とする、請求項１７に記載の組立体。
【請求項１９】
ケーブル（１４）をさらに備え、前記保持及び接触装置（１）は、前記ケーブル（１４）と前記パワー電子部品（１５）との電気的及び機械的な接触を確立することを特徴とする、請求項１７または１８に記載の組立体。
【発明の詳細な説明】
【技術分野】
【０００１】
本発明は、保持及び接触装置に関する。
【背景技術】
【０００２】
当該装置は、ケーブルを更なる電子部品、特にパワー電子部品に機械的に固定するように構成されている。さらに、当該装置は、ケーブルと部品の間の電気的な接触を確立するように構成されている。
【発明の概要】
【発明が解決しようとする課題】
【０００３】
本発明の目的は、改善された特性を具備する保持及び接触装置を提供することである。
【課題を解決するための手段】
【０００４】
この目的は、請求項１の主題によって解決される。
【０００５】
それを貫通するケーブルパスの輪郭を形成するケージと、ケーブルパス内へ突出すると共にケーブルパスに沿って設置されたケーブル上にクランプ力を加えるように構成されたバネ要素と、を備え、バネ要素及びケージが金属から成る保持及び接触装置が提供される。
【０００６】
ケーブルは、クランプ力によって機械的に固定され得る。特に、保持及び接触装置は、クランプされたケーブルの一方の側にバネ要素が配置され、ケーブルの他方の側に部品及びケージの下壁が配置されるように構成されており、それによって、機械的に固定された態様でケーブルをクランプする。
【０００７】
さらに、ケーブルが部品の上に押し付けられると、ケーブルと部品との間に電気的な接続が形成され得る。
【０００８】
共に金属から成るケージ及びバネ要素を提供することによって、保持及び接触装置が高い温度までの温度耐性を具備することが保障され得る。高い温度は、ケーブル内の強い電流の結果として生じ得る。ケージ及びバネ要素の金属材料は、この材料が高い温度によって損傷せず変形しないように選択される。このようにして、通常は高いレベルの電流を扱うパワー電子部品に好適な保持及び接触装置を提供することができる。 
【０００９】
ケージ及びバネ要素は、如何なるプラスチック材料をも含まないものとすることができる。そのような材料は、通常、高い温度に対して耐性がより小さい。
【００１０】
保持及び接触装置が、その材料の疲労に見舞われる可能性は非常に低い。バネ要素は、膨大な数の圧縮及び弛緩サイクル並びに熱サイクルに耐えることができるように設計され、それによって、材料の疲労に対して耐性を有するものとすることができる。 
【００１１】
好ましくは、バネ要素及びケージは、同一の金属から成る。その結果、バネ要素及びケージは、同一の熱膨張係数を有する。したがって、作動中における保持及び接触装置の加熱によって、バネ要素とケージの間に如何なる機械的張力も生成されることはない。
【００１２】
好ましい実施形態において、バネ要素及びケージは、単一の金属シートから一体に作製され得る。特に、保持及び接触装置は、金属シートを切断するステップと、金属シートを曲げる数回のステップと、を含む製造プロセスによって、単一の金属シートから形成され得る。バネ要素は、ケージと一体に形成され得る。
【００１３】
バネ要素及びケージを単一の金属シートから形成することにより、保持及び接触装置の構築において用いられる原材料の量を最小化することができる。装置の製造の間に、最小量の金属シートのみが廃棄されることが可能である。その結果、製造プロセスのためのコストが低減され得る。装置全体が一体であれば、組み立てコストも低減される。
【００１４】
さらに、バネ要素及びケージを単一の金属シートから形成することにより、バネ要素のケージからの離脱に起因して生じ得る如何なる問題も防止される。バネ要素はケージと一体に形成され得るため、保持及び接触装置の使用中にバネ要素がケージから離脱することはあり得ない。
【００１５】
さらに、単一の金属シートから形成されたバネ要素及びケージを用いることにより、保守不要の保持及び接触装置を構築することができる。特に、バネ要素及びケージが単一の金属シートから形成されている場合、振動または温度サイクルによってバネ要素がケージに対して移動する可能性はない。これとは対照的に、バネ要素及び／又はケージがプラスチック材料から成る場合、通常の作動中における振動または温度サイクルに起因する意図しない移動のリスクが顕著に高まるであろう。
【００１６】
その結果、プラスチック部品の代わりに金属部品を備える保持及び接触装置によって固定されたケーブルは、装置が著しい振動及び／又は温度変化を経験した後に再調整される必要はない。なぜなら、作動中の振動または温度変化によって機械的接続が緩むことはないからである。
【００１７】
一実施形態によれば、バネ要素及びケージは互いに積極的に固定されていてよい。バネ要素及びケージの積極的な固定の結果、装置によって固定されたケーブルが振動及び／又は温度変化によって緩む可能性のない保持及び接触装置が得られることにもなる。その結果、装置の通常の作動中に、例えばケーブルの再調整などの保守は必要とされない。
【００１８】
バネ要素の質量は、バネ要素によってケーブルに加えられる力と比較して小さくてよい。したがって、バネ要素は、実質的に耐振動性を具備し得る。
【００１９】
一実施形態において、バネ要素は、ケーブルパスに沿って設置されたケーブルに加えられるクランプ力の大きさがケーブルの直径に依存するように構成されることができ、また、バネ要素は、第一の直径を有するケーブルに対して、第一の直径よりも小さな第二の直径を有するケーブルと比較して強いクランプ力が及ぼされるように構成されている。
【００２０】
そのような構成は、第二の直径を有するケーブルよりも、第一の直径を有するケーブルによって、より強く変形するように成形されたバネ要素によって達成され得る。ケーブルのより強い変形の結果、より強いクランプ力が加えられ得る。
【００２１】
バネ要素は、ケーブルを、その直径にかかわらず機械的に固定するのに十分なクランプ力を加えるように構成され得る。通常、より大きな直径を有するケーブルは、より大きな重量をも有し、その結果、当該ケーブルを固定するためにより大きな力が必要とされる。保持及び接触装置は、増大した直径を有するケーブルに対して、加えられるクランプ力が増大するように構築され得るので、大きな直径を有するケーブルに対して十分に強い力が加えられ、同時に、小さい直径を有するケーブルに対して過剰な力が加えられないことが保障され得る。そのような過剰な力は、さもなければ、最悪の場合、小さい直径を有するケーブルに損傷を与えるであろう。したがって、保持及び接触装置は、広範囲にわたる様々なケーブル直径に適合し得る。
【００２２】
ケーブルは、編組銅ケーブルまたはソリッドワイヤのいずれでもよい。編組銅ケーブルは、ラグを備えていてもよいし、ラグがなくてもよい。いくつかのケースでは、ケーブルの挿入に先立ってリリースレバーを引き起こすことが必要であり得る。一旦ケーブルが内部に配置されると、リリースレバーは解放されることができ、したがって、次にバネ力がケーブルに加えられ、機械的及び電気的な接続が作り出される。
【００２３】
バネ要素は、ケーブルパスに対して垂直な方向にクランプ力を加えるように構成され得る。それによって、ケーブルパスに沿って設置されたケーブルは、その位置において固定される。
【００２４】
一実施形態において、バネ要素予備ケージは、ステンレス鋼から成る。 
【００２５】
ステンレス鋼は、複数の利点を提供する。ステンレス鋼は、高い温度までの温度耐性を具備し、その結果、ケーブル内の強い電流に起因する熱が保持及び接触装置に損傷を与える可能性はない。さらに、ステンレス鋼は、焼鈍された状態において非磁性である。保持及び接触装置は、冷間加工法、特にプレス及び曲げを用いて製作され得る。しかしながら、これらのプロセスの後、材料はいずれにせよ僅かに磁性を帯び得る。さらに、ステンレス鋼は、非腐食性である。これらの材料特性は、装置の長寿命を提供するのに役立つ。なぜなら、ケージ及びバネ要素は磁場または腐食によって損傷を受けないからである。
【００２６】
さらに、バネは、ケーブルパスの方を向いたシャープエッジを備え得る。バネ要素がケーブルに当接することによって加えられるクランプ力に加えて、シャープエッジがケーブルの表面の材料に入り込み、ケーブルをさらに固定する食い込みを形成し得る。
【００２７】
保持及び接触装置は、ケーブル及び部品の電気的及び機械的な接触を確立するように構成され得る。部品は、パワー電子部品であり得る。保持及び接触装置は、バネ要素によって加えられるクランプ力によって部品及びケーブルを固定するように構成され得る。
【００２８】
ケージ及びバネ要素の材料は、確立された電気的な接触が例えば５０Ａより大きな高いレベルの電流にも耐え得るように構成され得る。上述したように、ケージ及びバネ要素に金属材料を用いることによって、このように強い電流によって必然的にもたらされる熱によって損傷を受けることのない装置を構築することができる。
【００２９】
付加的にまたは代替的に、バネはリリースレバーをさらに備え、リリースレバーは、当該リリースレバーを引くことによって、ケーブルパスに沿って配置されたケーブルにクランプ力が加わらないような態様にバネ要素が変形するよう構成されている。特に、リリースレバーをケーブルパスから遠ざかる方向へ引くことによって、バネ要素は、ケーブルパスに沿って配置されたケーブルにクランプ力が加わらないような態様で変形する。
【００３０】
リリースレバーによって、保持及び接触装置内に固定されたケーブルの容易な取り外しが可能となり得る。リリースレバーが引かれると、バネ要素は、当該バネ要素が上方へ、ケージの下壁から離れる方向へ移動するように変形し得る。したがって、バネ要素とケージの下壁の間にクランプされたケーブルは、リリースレバーが押された際に、容易に取り外され得る。
【００３１】
編組銅線がケーブルパス内に導入される場合にも、同一の作動原理が当てはまる。編組銅線が挿入され得る前に、バネ要素は開かれなければならない。その結果、バネ要素を開くために、リリースレバーが引かれることが必要である。その後、編組銅線が導入されることができ、一旦それが内部に配置されると、リリースレバーは再び解放されることができ、バネ要素はケーブルにクランプ力を加え、接続が確保される。
【００３２】
特に、リリースレバーは、バネ要素によって加えられるクランプ力を解除するための工具と係合するように構成された少なくとも１つの開口を備え得る。保持及び接触装置は、バネ要素によって加えられるクランプ力が一時的に解除されるよう、リリースレバーが同時に工具と係合する場合にのみ、ケーブルが装置内へ挿入され、あるいは、装置から取り除かれ得るように設計されることができる。この設計によって、装置へのケーブルの意図しない取り付け、または、装置からのケーブルの意図しない取り外しが防止され得る。
【００３３】
保持及び接触装置は、ケージを取り囲む絶縁ブロックをさらに備え、絶縁ブロックは、リリースレバーが工具と係合することを可能とする孔を備え得る。特に、絶縁ブロックは、孔がリリースレバーとのみ係合可能であるように設計され得る。この設計は、安全性の向上に役立つ。なぜなら、当該設計によって、ケーブルの意図しない取り外しがさらに防止されるからである。孔は、ケーブルパスに平行であり得る。
【００３４】
バネは金属帯から成ることができ、金属帯の第一端部はケージに固定されている。金属帯の第二端部は、ケージの外へ突出してリリースレバーを形成し得る。
【００３５】
バネ要素は、ケーブルパスに沿って設置されたケーブルと当接するように構成されていると共に、ケーブル上にクランプ力を加えるように構成された当節部を備え得る。特に、シャープエッジが、バネ要素の当接部に配置され得る。 
【００３６】
他の観点によれば、本発明は、上述した保持及び接触装置と、ケーブルと、パワー電子部品と、を備え、保持及び接触装置が、ケーブルとパワー電子部品の電気的及び機械的接触を確立するように構成されている組立体に関する。
【００３７】
さらなる特徴及び改良点が、添付図に関連した例示的な実施形態の以下の説明から明らかになる。
【図面の簡単な説明】
【００３８】
【図１】保持及び接触装置の透視図を示している。
【図２】保持及び接触装置の異なる視点からの別の透視図を示している。
【図３】保持及び接触装置、ケーブル並びに部品を備える組立体の断面図を示している。
【図４】ケーブルがない状態での組立体の断面図を示している。
【発明を実施するための形態】
【００３９】
図１及び２は、保持及び接触装置１の透視図を示している。 
【００４０】
保持及び接触装置１は、ケージ２及びバネ要素３を備えている。装置１は、ケーブルと、ケージ２の内部に配置され得る部品との、電気的及び機械的な接触を提供するように構成されている。当該部品は、パワー電子部品、例えばパワーエレクトロニックコンデンサであり得る。 
【００４１】
ケージ２は、４つの壁４，５，６，７を備えている。特に、ケージ２は、上壁４と、上壁４の反対側に配置された下壁５と、を備えている。さらに、ケージ２は、上壁４と下壁５を接続する２つの側壁６，７を備えている。このように、ケージ２は、２つの対向する壁を欠いた直方体の形状を有している。それによって、ケージ２を貫通するケーブルパス８の輪郭が形成されている。ケーブルは、ケーブルパス８に沿って配置され得る。 
【００４２】
バネ要素３は、ケーブルパス８の中へ突出している。バネ要素３は、ケージ２の上壁４に固定されている。バネ要素３は、金属帯から成っている。バネ要素３の第一端部９は、ケージ２に固定されている。特に、第一端部９は上壁４に固定されている。バネ要素３は、当該バネ要素３の一部がケーブルパス８の中へ突出するよう、湾曲した形状を有している。バネ要素３の、第一端部９とは反対側に配置された第二端部１０は、ケーブルパス８の外側に配置されている。 
【００４３】
バネ要素３は、当接部１１を備えている。当接部１１は、バネ要素３のうち、ケージ２の下壁５の最も近くに配置された部分である。ケーブルがケーブルパス８の内部に配置されたとき、当接部１１は、ケーブルの上に押し付けられ、それによってケーブルにクランプ力を及ぼすように構成されている。クランプ力は、ケーブルパス８に対して垂直な方向に作用する。 
【００４４】
保持及び接触装置１は、単一の金属シートから形成されている。特に、単一の金属シートは、切断され、保持及び接触装置１に成形するため数回にわたり曲げられる。その結果、バネ要素３は、同一の金属シートから、ケージ２と共に一体に形成される。
【００４５】
代替的に、バネ要素３及びケージ２は、２つの別々の金属シートから形成されてもよく、これらの金属シートは、後に、例えば積極的に固定された態様で互いに接合される。
【００４６】
ケージ２及びバネ要素３は、金属でできている。特に、ケージ２及びバネ要素３は、同一の金属、好ましくはステンレス鋼でできている。この材料は非磁性かつ非腐食性であり、それによって長寿命を保障している。 
【００４７】
さらに、バネ要素３は、シャープエッジ１２を備えている。シャープエッジ１２は、バネ要素３の素材に設けられた開口のエッジによって形成されている。シャープエッジ１２は、ケーブルパス８に対して垂直な方向に延びている。シャープエッジ１２は、バネ要素３の当接部１１に配置されている。特に、シャープエッジ１２は、バネ要素３のうち、ケージ２の下壁５に最も近い点に形成されている。
【００４８】
バネ要素３は、ケーブルがケーブルパス８に沿って配置されたとき、当接部１１がケーブルに対して押し付けられるように構成されており、それによって、バネ要素３とケーブルの間のクランプ接続を作り出している。この接続は、保持及び接触装置１の内部にケーブルを固定することになる。
【００４９】
さらに、バネ要素３は、リリースレバー１３を備えている。リリースレバー１３は、保持及び接触装置１とケーブルの接続を解除するように構成されている。リリースレバー１３が引かれるとバネ要素３が変形し、それによってクランプ力がケーブルから解放され、ケーブルを保持及び接触装置１から取り外すことができるようになる。 
【００５０】
リリースレバー１３は、第一開口１７及び第二開口１８を備えている。第一開口１７は、第二開口１８よりも、第二端部１０の近くに配置されている。代替実施形態において、リリースレバー１３は、ただ１つの開口または２つより多くの開口を備え得る。
【００５１】
さらに、保持及び接触装置１は、ケージ２を取り囲む絶縁ブロック１９を備えている。絶縁ブロック１９は、絶縁材料から成っている。絶縁ブロック１９は、図１及び２には示されていない。絶縁ブロック１９は、保持及び接触装置１の断面図を示す図３及び４に示されている。
【００５２】
絶縁ブロック１９は、外部から加えられ得る機械的な力に対してケージ２を保護している。特に、絶縁ブロック１９は、保持及び接触装置１に加わる如何なる機械的な力をも弱め得る。 
【００５３】
さらに、絶縁ブロック１９は、ケーブルパス８に対して平行な方向に延びる孔２０を備えている。絶縁ブロック１９は、孔２０を介してのみリリースレバー１３が係合し得るように成形されている。工具、例えば標準的なマイナスドライバーを、リリースレバー１３の開口１７，１８のうち１つと係合するよう、孔の中に挿入することができる。その後、リリースレバー１３は、ケーブルパス８から遠ざかる方向へ工具によって引かれ得る。リリースレバー１３の位置に応じて、工具は、第一開口１７または第二開口１８のいずれかに係合し得る。
【００５４】
リリースレバー１３がケーブルパス８から遠ざかる方向へ引かれると、バネ要素３の当接部１１はケーブルパス８から遠ざかる方向へ移動し、その結果、ケーブルを装置１から取り外すことができるようになる。
【００５５】
それによって、偶発的に接続が緩む事象が生じ得ないことが保障され得る。なぜなら、リリースレバー１３を引くこと、及び、同時にケーブルを引き抜くことによってのみ、ケーブルを保持及び接触装置１から取り外すことができるからである。
【００５６】
リリースレバー１３は、バネ要素３を、その当接部１１がケージ２の下壁５から更に遠ざかる方向へ移動するような態様で変形させるよう、構成されている。 
【００５７】
図３は、保持及び接触装置１、ケーブル１４及び部品１５を備える組立体の断面図を示している。部品１５は、パワー電子部品である。部品１５は、当該部品１５を電気的に接触させるために用いられるバスバー１６を備えている。ケーブル１４は、銅または他の材料から成っている。
【００５８】
バネ要素３は、ケーブル１４にクランプ力を及ぼし、それによって、ケーブル１４を部品１５の上に押し付ける。特に、ケーブル１４及び部品１５は、バネ要素３とケージ２の下壁５との間にクランプされる。特に、ケーブル１４は、当該ケーブル１４からバスバー１６内へ電流が流れ得るよう、部品１５のバスバー１６の上に押し付けられている。その結果、ケーブル１４と部品１５の電気的な接続が提供される。さらに、バネ要素３によってケーブル１４の上に及ぼされるクランプ力は、ケーブル１４を部品１５に対して機械的に固定する。それによって、バネ要素３は、ケーブル１４が部品１５に対して移動し得ないことを保障している。
【００５９】
ケーブル１４は、部品１５とバネ要素３の間に配置されている。その結果、ケーブル１４は、部品１５の上面の上に押し付けられている。この設計によって、部品１５を低い位置に配置し、それによってコンパクトな組立体を構築することができる。
【００６０】
図３において、バネ要素３のシャープエッジ１２がケーブル１４の素材に僅かに入り込んでいることが見て取れる。それによって、バネ要素３とケーブル１４の追加的な固定が達成される。なぜなら、シャープエッジ１２がケーブル１４の素材に食い込んでいるからである。この追加的な固定は、さらに、バネ要素３によって及ぼされるクランプ力に起因して、ケーブルパス８の内部におけるケーブル１４の機械的な固定を増大させる。
【００６１】
ケーブル１４を組立体から取り外すために、ユーザは、リリースレバー１３の第二開口１８に係合するよう、工具を絶縁ブロック１９の開口２０に挿入しなければならない。その後、リリースレバー１３は上方へ、すなわちケーブルから遠ざかる方向へ引かれ、それによって、バネ要素３がケーブル１４の上にクランプ力をもはや及ぼさないよう、バネ要素３を変形させ得る。その後、ケーブル１４が取り外され得る。このように、ケーブル１４がケーブルパス８内に配置されると、第二開口１８によってバネ要素３を手動で変形させることができ、その結果、ケーブル１４にはクランプ力が加わらない。
【００６２】
図４は、ケーブル１４がない状態での図３の組立体を示している。この形態において、バネ要素３は、図３に示された形態よりも弛緩している。バネ要素３は、ケーブルパス８内に部品１５のみが存在しケーブル１４が存在しない場合にバネ要素３が部品１５のバスバー１６に当接し、バネ要素３が部品１５の上に小さなクランプ力を加えるよう、寸法が設定されている。それによって、ケーブル１４が取り外された場合であっても、保持及び接触装置１がその場所にとどまることが保障され得る。
【００６３】
装置１は、部品１５を、あらゆる種類の異なるケーブル直径を有する広範囲にわたるケーブル１４に接続することができるよう、構成されている。ケーブル１４が、図４に示された形態におけるケーブルパス８内に挿入された場合、バネ要素３は、その当接部１１がケージ２の下壁５から遠ざかる方向へ移動するように変形することになる。バネ要素３の変形量は、挿入されるケーブル１４の直径に依存する。やや小さな直径を有するケーブル１４がケーブルパス８内に挿入される場合、バネ要素３はやや小さく変形し、その結果、バネ要素３は小さなケーブル１４及び部品１５の上に小さなクランプ力を及ぼすことになる。バネ要素３は、このクランプ力がケーブル１４を部品１５に固定するのに十分であるように、寸法を設定されている。
【００６４】
より大きな直径を有するケーブル１４がケーブルパス８内に挿入される場合、バネ要素３はより大きく変形することになる。その結果、バネ要素３は、ケーブル１４の上により強いクランプ力を及ぼし、それによって、ケーブル１４を部品１５の上に押し付ける。この場合にも、この力はケーブル１４を部品１５に固定するのに十分である。
【００６５】
その結果、保持及び接触装置１は、第一の直径を有するケーブル１４に対して、第一の直径よりも小さな第二の直径を有するケーブルと比較して強い力が及ぼされるように構築されている。第一の直径を有するケーブル１４は、バネ要素３を、第二の直径を有するケーブルよりも大きく変形させる。バネ要素３のより大きな変形は、より大きなクランプ力をもたらす。
【００６６】
保持及び接触装置１は、ケーブル１４が偶発的に解放されることが事実上不可能であるように構築されている。バネ要素３及びシャープエッジ１２の形状によって、意図的にのみケーブル１４を解放することを可能とするクランプが構築される。
【００６７】
ケーブル１４を挿入するために、ユーザは先ず、工具がリリースレバーの第一開口１７に係合し、それによってリリースレバー１３をバスバー１６から離れる方向へ引くことが可能となるように、工具を孔２０内に入れなければならない。それによって、バネ要素３は、ケーブルパス８に沿って空間が提供されるような態様で変形し、それによって、ケーブル１４をケーブルパス８内へ挿入することが可能となる。このように、ケーブルパス８内にケーブル１４が配置されないとき、第一開口１７によってバネ要素３を手動で変形させることができ、その結果、部品１５にはクランプ力が加わらない。
【符号の説明】
【００６８】
１  保持及び接触装置
２  ケージ
３  バネ要素
４  上壁
５  下壁
６  側壁
７  側壁
８  ケーブルパス
９  第一端部
１０  第二端部
１１  当接部
１２  シャープエッジ
１３  リリースレバー
１４  ケーブル
１５  部品
１６  バスバー
１７  第一開口
１８  第二開口
１９  絶縁ブロック
２０  孔
【図１】
2019505963.tif 000003
【図２】
2019505963.tif 000004
【図３】
2019505963.tif 000005
【図４】
2019505963.tif 000006
【国際調査報告】
2019505963.tif 000007
2019505963.tif 000008